(57)【要約】【課題】固体撮像素子からの電荷の分割読み出しによる画像歪みを抑えると共に、広がり傷を最小限に止め、自然な途中経過画像を得る。【解決手段】デジタルカメラ１００は、撮像素子１４と、撮像素子１４で得られる画像を表示する画像表示部２８と、撮像素子１４に蓄積された電荷のクリア及び読み出しをライン単位で行うローリングシャッタと、撮像素子１４に蓄積された全ての電荷のクリア及び読み出しを行うグローバルシャッタとを、デジタルカメラ１００の全体的な制御を行うシステム制御部５０とを有し、システム制御部５０は、撮像素子１４に対する露光開始と露光終了にはグローバルシャッタを用い、撮像素子１４からの露光途中の読み出しにはローリングシャッタを用いて撮像を行う。【選択図】図３
2014053777.tif 000002
【特許請求の範囲】
【請求項１】
光学像を電気信号に変換する撮像素子を有する撮像手段と、
前記撮像手段から得られる画像を表示する表示手段と、
前記撮像素子に蓄積された電荷信号のクリア及び読み出しをライン単位で、順次、行うローリングシャッタ手段と、
前記撮像素子に蓄積された全てのラインの電荷信号のクリア及び読み出しを一括して行うグローバルシャッタ手段と、
前記撮像素子の露光開始動作および露光終了動作を前記グローバルシャッタ手段を用いて行なうように制御し、前記撮像素子の露光途中の電荷信号の読み出し動作を前記ローリングシャッタ手段を用いて行うように制御する制御手段と、を備えることを特徴とする撮像装置。
【請求項２】
前記撮像素子の露光開始動作に使用するグローバルシャッタは電子シャッタであることを特徴とする請求項１記載の撮像装置。
【請求項３】
前記撮像素子の露光終了動作に使用するグローバルシャッタは機械式シャッタであることを特徴とする請求項１記載の撮像装置。
【請求項４】
前記制御手段は、前記露光途中に読み出した電荷信号に基づく画像を積算し、読み出し毎に積算した積算画像を前記表示手段の画面に表示する際に、予め定められた露光時間と前記撮像素子の読出時間とに基づいて、前記積算画像の輝度補正を行うことを特徴とする請求項１乃至３のいずれか１項に記載の撮像装置。
【請求項５】
前記制御手段は、前記表示手段における画面の一番下のラインの輝度の補正ゲイン倍率を等倍とし、前記画面の上部に向けて輝度の補正ゲイン倍率を上げていくことを特徴とする請求項４記載の撮像装置。
【請求項６】
前記制御手段は、前記表示手段における画面の一番上のラインの輝度の補正ゲイン倍率を等倍とし、前記画面の下部に向けて輝度の補正ゲイン倍率を下げていくことを特徴とする請求項４記載の撮像装置。
【請求項７】
前記制御手段は、前記表示手段における画面の中央のラインの輝度の補正ゲイン倍率を等倍とし、前記中央のラインから前記画面の上部に向けて輝度の補正ゲイン倍率を上げ、前記中央のラインから前記画面の下部に向けて輝度の補正ゲイン倍率を下げていくことを特徴とする請求項４記載の撮像装置。
【発明の詳細な説明】
【技術分野】
【０００１】
本発明は、固体撮像素子を備える撮像装置に関し、特に、固体撮像素子に蓄積された電荷の分割読出制御に関する。
【背景技術】
【０００２】
家庭用のデジタルビデオカメラやデジタルスチルカメラ等の撮像装置の普及が進んでいる。このような撮像装置に用いられる固体撮像素子としては、ＣＣＤ撮像素子やＣＭＯＳ撮像素子が用いられているが、近年では、ＣＭＯＳ撮像素子を用いた撮像装置が主流となっている。
【０００３】
その理由として、ＣＭＯＳ撮像素子は、ＣＣＤ撮像素子に比べて高速読み出しが可能であるため、連写撮影や動画撮影で有利な機能を提供することができるということが挙げられる。また、ＣＭＯＳ撮像素子は、ＣＣＤ撮像素子とは異なり、構造上、スミアが発生しない。したがって、この特性を利用して、長秒撮影時に途中で蓄積した電荷を読み出してデジタル加算を行うことにより、長秒撮影の蓄積の途中経過を確認することが可能であり、この機能はユーザにとって、使い勝手のよい撮影機能となっている。
【０００４】
しかしながら、ＣＭＯＳ撮像素子には、素子構造に起因して広がり傷が発生しやすいという問題、即ち、長秒蓄積時に暗電流による電荷蓄積が飽和して周辺の画素が広がるという問題がある。この問題を回避するため、長秒撮影時には、露光時間を分割して途中読み出しを行い、デジタル加算を行うことによって、広がり傷を抑えた長秒撮影画像を得ることが望ましい。そこで、長秒撮影時における分割読み出しの途中経過画像を見やすくするための技術が提案されている（例えば、特許文献１参照）。
【先行技術文献】
【特許文献】
【０００５】
【特許文献１】特開２０１０−８１３１３号公報
【発明の概要】
【発明が解決しようとする課題】
【０００６】
しかしながら、ＣＭＯＳ撮像素子を搭載した撮像装置で長秒撮影を行う場合に分割読み出しを行うと、画面内で露光タイミングにずれが生じる。そのため、動きのある被写体が画面内に存在する場合や流し撮りを行う場合には、被写体像や背景が歪んでしまうという問題がある。
【０００７】
本発明は、固体撮像素子からの電荷の分割読み出しによる画像歪みを抑えると共に、広がり傷を最小限に止め、自然な途中経過画像を得ることができる撮像装置を提供することを目的とする。
【課題を解決するための手段】
【０００８】
本発明に係る撮像装置は、光学像を電気信号に変換する撮像素子を有する撮像手段と、前記撮像手段から得られる画像を表示する表示手段と、前記撮像素子に蓄積された電荷信号のクリア及び読み出しをライン単位で、順次、行うローリングシャッタ手段と、前記撮像素子に蓄積された全てのラインの電荷信号のクリア及び読み出しを一括して行うグローバルシャッタ手段と、前記撮像素子の露光開始動作および露光終了動作を前記グローバルシャッタ手段を用いて行なうように制御し、前記撮像素子の露光途中の電荷信号の読み出し動作を前記ローリングシャッタ手段を用いて行うように制御する制御手段と、を備えることを特徴とする。
【発明の効果】
【０００９】
本発明によれば、ＣＭＯＳ撮像素子を用いた長秒撮影の際に分割読み出しを行い、途中経過をプレビューさせた場合の画像歪みを抑えることができ、広がり傷も最小限に止めることができる。これにより、自然な途中経過画像を得ることができる。
【図面の簡単な説明】
【００１０】
【図１】本発明の実施形態に係るデジタルカメラの概略構成を示すブロック図である。
【図２】本実施形態に係るデジタルカメラでの撮影処理手順を示すフローチャートである。
【図３】本実施形態に係るデジタルカメラにおける分割露光の態様を模式的に示す図である。
【発明を実施するための形態】
【００１１】
以下、本発明の実施形態について添付図面を参照して詳細に説明する。本実施形態では、撮像装置として、固体撮像素子としてＣＭＯＳ撮像素子を用いたデジタルカメラを例とした説明を行うこととする。
【００１２】
＜デジタルカメラの概略構成＞
図１は、本発明の実施形態に係るデジタルカメラ１００の概略構成を示すブロック図である。デジタルカメラ１００は、撮影レンズ１０と、絞り機能を備える機械式シャッタ１２と、光学像を電気信号に変換するＣＭＯＳ撮像素子１４と、ＣＭＯＳ撮像素子１４のアナログ信号出力をデジタル信号に変換するＡ／Ｄ変換器１６とを有する。
【００１３】
また、デジタルカメラ１００は、ＣＭＯＳ撮像素子１４とＡ／Ｄ変換器１６にクロック信号及び制御信号を供給するタイミング発生回路１８を有し、タイミング発生回路１８は、後述のメモリ制御回路２２及びシステム制御回路５０により制御される。デジタルカメラ１００では、機械式シャッタ１２によるＣＭＯＳ撮像素子１４の露光制御の他に、タイミング発生回路１８によるＣＭＯＳ撮像素子１４のリセットタイミングを制御する電子シャッタ機能により電荷蓄積時間を制御することが可能となっており、この電子シャッタ機能は動画撮影等を行う場合に使用される。
【００１４】
更に、デジタルカメラ１００は、画像処理回路２０と、メモリ制御回路２２と、画像表示部２８と、メモリ３０と、不揮発性メモリ３１と、圧縮／伸長回路３２とを有する。
【００１５】
画像処理回路２０は、Ａ／Ｄ変換器１６から取得したデータやメモリ制御回路２２から取得したデータに対して画素補間処理や色変換処理を行う。また、画像処理回路２０によって画像の切り出し、変倍処理が行われることにより、電子ズーム機能が実現される。更に、画像処理回路２０は、撮像した画像データに対して所定の演算処理を行う。こうして得られた演算結果に基づいて、システム制御回路５０は、後述の露光制御部４０及び測距制御部４２を制御し、ＴＴＬ方式のＡＦ（オートフォーカス）処理、ＡＥ（自動露出）処理、ＥＦ（エレクトロニックフラッシュ）処理等を行う。また、画像処理回路２０は、撮像した画像データを用いて所定の演算処理を行い、得られた演算結果に基づいてＴＴＬ方式のＡＷＢ（オートホワイトバランス）処理を行う。
【００１６】
メモリ制御回路２２は、Ａ／Ｄ変換器１６、タイミング発生回路１８、画像処理回路２０、メモリ３０及び圧縮／伸長回路３２を制御する。Ａ／Ｄ変換器１６から出力されるデータは、画像処理回路２０とメモリ制御回路２２を介して、或いは直接にメモリ制御回路２２を介して、メモリ３０に書き込まれる。
【００１７】
画像表示部２８は、例えば、ＴＦＴ等の液晶ディスプレイ（ＬＣＤ）等であり、メモリ３０に書き込まれた表示用画像データはメモリ制御回路２２を介して画像表示部２８に表示される。なお、撮像した画像データを画像表示部２８に逐次表示することにより、電子ファインダ機能が実現される。また、画像表示部２８は、システム制御回路５０の指示により任意に表示をオン（ＯＮ）／オフ（ＯＦＦ）することができ、表示をＯＦＦにすることで、デジタルカメラ１００の電力消費を大幅に低減させることが可能になる。
【００１８】
メモリ３０は、撮影した静止画像や動画像を格納する記憶媒体であり、所定枚数の静止画像や所定時間の動画像を格納可能な十分な記憶容量を備えている。これにより、複数枚の静止画像を連続して撮影する連写撮影やパノラマ撮影の場合にも、高速かつ大量の画像書き込みをメモリ３０に対して行うことができる。なお、メモリ３０は、システム制御回路５０の作業領域としても使用される。
【００１９】
不揮発性メモリ３１は、例えば、フラッシュＲＯＭ等である。システム制御回路５０が実行するプログラムコードは不揮発性メモリ３１に書き込まれており、システム制御回路５０は、不揮発性メモリ３１からプログラムコードを逐次読み出しながら実行する。また、不揮発性メモリ３１には、デジタルカメラ１００のシステム情報やユーザ設定情報を記憶する領域が設けられており、システム制御回路５０は、次回の起動時にこれらの情報を読み出して復元する。これにより、ユーザは、起動毎に好みの設定条件に調節する作業から解放される。圧縮／伸長回路３２は、適応離散コサイン変換（ＡＤＣＴ）等により、メモリ３０に格納された画像データを読み込んで圧縮処理或いは伸長処理を行い、処理後のデータをメモリ３０に書き込む。
【００２０】
デジタルカメラ１００は、更に、露光制御部４０と、測距制御部４２と、ズーム制御部４４と、ストロボ４８と、システム制御回路５０とを有する。
【００２１】
露光制御部４０は、絞り機能を備える機械式シャッタ１２を制御し、ストロボ４８と連動することによりストロボ調光機能を実現する。測距制御部４２は、撮影レンズ１０のフォーカシングを制御する。ズーム制御部４４は、撮影レンズ１０のズーミングを制御する。ストロボ４８は、ＡＦ補助光の投光機能とストロボ調光機能を有する。露光制御部４０と測距制御部４２はＴＴＬ方式を用いて制御されており、システム制御回路５０は、撮像した画像データを画像処理回路２０によって演算した演算結果に基づいて、露光制御部４０及び測距制御部４２に対して制御を行う。システム制御回路５０は、デジタルカメラ１００全体の統括的制御を行う。
【００２２】
デジタルカメラ１００は、ユーザがシステム制御回路５０に対して各種の動作指示を行うためのスイッチやダイアル、タッチパネル、視線検知によるポインティング、音声認識装置等の単数或いは複数の組み合わせで構成される操作手段を備える。本実施形態では、一例として、モードダイアル６０と、シャッタスイッチ６２と、表示切替スイッチ６４と、操作部７０と、ズームスイッチ７２とについて説明する。
【００２３】
モードダイアル６０は、自動撮影モード、撮影モード、パノラマ撮影モード、動画撮影モード、再生モード、ＰＣ接続モード等の各機能モードを設定するために用いられる。シャッタスイッチ６２は、スイッチＳＷ１，ＳＷ２を備える。スイッチＳＷ１は、シャッタスイッチ６２の操作途中（半押しの状態）でＯＮとなり、ＡＦ処理、ＡＥ処理、ＡＷＢ処理等の動作開始を指示する。シャッタスイッチ６２が完全に押下されるとスイッチＳＷ２がＯＮし、機械式シャッタ１２が動作する。このとき、ストロボ撮影を行う場合には、ストロボプリ発光処理を行った後に、ＡＥ処理で決定された露光時間の間だけ撮像素子１４を露光し、その露光期間中にストロボ４８を発光させて、露光時間の終了と同時に露光制御部４０により遮光を行う。
【００２４】
こうして撮像素子１４に対する露光が終了すると、撮像素子１４からアナログ信号がＡ／Ｄ変換器１６へ出力され、Ａ／Ｄ変換器１６においてアナログ信号がデジタル信号へ変換される。Ａ／Ｄ変換器１６から出力されたデジタル信号は、メモリ制御回路２２を介してメモリ３０に書き込まれ、或いは、画像処理回路２０で所定の画像処理が施された後にメモリ制御回路２２を介してメモリ３０に書き込まれる。更に、圧縮／伸長回路３２が、メモリ３０から画像データを読み出して圧縮処理を行い、圧縮処理された画像データが後述する記録媒体２０２に書き込まれる。
【００２５】
表示切替スイッチ６４は、画像表示部２８の表示切替を行う。光学ファインダ１０４を用いて撮影を行う際に画像表示部２８への給電を遮断することにより、省電力を図ることができる。操作部７０は、各種ボタン、タッチパネル、回転式ダイアル等からなる。具体的には、操作部７０は、メニューボタン、セットボタン、マクロボタン、マルチ画面再生改ページボタン、ストロボ設定ボタン、単写／連写／セルフタイマー切り替えボタンを備える。更に、操作部７０は、操作部７０は、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン等を備える。
【００２６】
ズームスイッチ７２は、ユーザが撮像画像の倍率変更指示を行うズーム操作手段であり、撮像画角を望遠側に変更させるテレスイッチと、広角側に変更させるワイドスイッチとからなる。ズームスイッチ７２の操作は、ズーム制御部４４に対して撮影レンズ１０の撮像画角の変更を指示し、光学ズーム操作を行うトリガとなる。また、ズームスイッチ７２の操作は、画像処理回路２０による画像の切り出しや画素補間処理等による撮像画角の電子的なズーミング変更のトリガにもなる。
【００２７】
デジタルカメラ１００は、電源部８６と、インタフェース（Ｉ／Ｆ）９０と、コネクタ９２と、記録部２００とを備える。記録部２００は、記録媒体２０２と、インタフェース（Ｉ／Ｆ）２０４と、コネクタ２０６とを有する。
【００２８】
電源部８６は、例えば、アルカリ電池等の一次電池、ＮｉＣｄ電池やＮｉＭＨ電池、Ｌｉイオン電池等の二次電池、ＡＣアダプター等からなる給電手段である。コネクタ９２とコネクタ２０６とが接続されることにより、Ｉ／Ｆ９０及びＩ／Ｆ２０４を介して、記録媒体２０２とシステム制御回路５０との間の通信が可能になる。記録媒体２０２は、例えば、メモリカード（半導体メモリ）や磁気ディスク、ハードディスク等であり、デジタルカメラ１００の本体に内蔵されていてもよいし、本体に対して着脱可能であってもよい。
【００２９】
デジタルカメラ１００は、光学ファインダ１０４と、通信部１１０と、コネクタ１１２とを備える。画像表示部２８による電子ファインダ機能を使用することなく、ユーザは、光学ファインダ１０４を通して被写体を確認して撮影を行うことができる。通信部１１０は、例えば、ＵＳＢ、ＩＥＥＥ１３９４、ＬＡＮ、無線通信等の各種通信機能を有する。コネクタ１１２は、通信部１１０を介してデジタルカメラ１００を他の機器と接続する。通信部１１０により無線通信を行う場合には、コネクタ１１２はアンテナとなる。
【００３０】
＜撮影処理フロー＞
図２は、デジタルカメラ１００での撮影処理手順を示すフローチャートである。シャッタスイッチ６２が押下されると、システム制御回路５０が撮影動作を開始する。なお、シャッタ速度は、露光制御部４０を用いて予め決定された時間又はユーザが任意に指示した時間に従う。
【００３１】
システム制御回路５０は、露光の分割数を、シャッタ速度に基づいて下記［式１］にしたがって計算する（ステップＳ１０１）。
【００３２】
分割数＝シャッタ速度／分割露光単位時間  ・・・  ［式１］
ここで、分割露光単位時間は、分割露光１回のたりの露光時間となり、ＣＭＯＳ撮像素子１４の特性に応じて個別に設定される。例えば、シャッタ速度が４秒、分割露光単位時間が１秒の場合には、分割数＝４秒／１秒＝４、となる。［式１］による計算の結果、余りが生じた場合（つまり、商に小数点以下の端数が生じる場合）、最後の分割では、分割露光単位時間よりも短い時間で露光が行われることになる。
【００３３】
次いで、システム制御回路５０は、露光を開始するために、ＣＭＯＳ撮像素子１４に対して電子シャッタ機能によるグローバルリセット動作を行い、ＣＭＯＳ撮像素子１４の全ての行の画素における蓄積電荷を一括して同時にクリアする（ステップＳ１０２）。続いて、システム制御回路５０は、ＣＭＯＳ撮像素子１４の露光による電荷蓄積動作を開始し（ステップＳ１０３）、その後、分割露光の最後の露光であるか否かを判定する（ステップＳ１０４）。
【００３４】
分割露光の最後の露光でない場合（Ｓ１０４でＮＯ）、システム制御回路５０は、ＣＭＯＳ撮像素子１４の各行における蓄積電荷をライン単位でローリングシャッタ駆動により、順次、読み出していく（ステップＳ１０５）。つまり、露光途中のＣＭＯＳ撮像素子１４の蓄積電荷信号の読み出しをライン単位で行うことによって、画像が読み出される。
【００３５】
次いで、システム制御回路５０は、ローリングシャッタ駆動により読み出した蓄積電荷信号に基づく画像を、順次、デジタル加算していくことにより、画像の積算処理を行う（ステップＳ１０６）。こうして得られる積算画像は、この時点では、画面上部と下部とで露光時間（電荷蓄積時間）が異なるため、画面上下で輝度の異なる不自然な画像となっている。そこで、システム制御回路５０は、積算画像の輝度補正を行い（ステップＳ１０７）、これにより得られる輝度の均一な表示用画像を画像表示部２８に表示する（ステップＳ１０８）。なお、ステップＳ１０７の詳細については、図３を参照して後述する。ステップＳ１０８の後、システム制御回路５０は、処理をステップＳ１０３に戻す。即ち、ステップＳ１０３〜Ｓ１０８の動作は分割露光の最後の露光になるまで繰り返される。
【００３６】
システム制御回路５０は、ステップＳ１０４において分割露光の最後の露光であると判定すると（Ｓ１０４でＹＥＳ）、機械式シャッタ１２を閉じ、ＣＭＯＳ撮像素子１４を遮光状態にする（ステップＳ１０９）。ステップＳ１０９での機械式シャッタ１２によるＣＭＯＳ撮像素子１４の遮光動作は、実質的にグローバルシャッタの役割を果たす。すなわち、ＣＭＯＳ撮像素子１４の全ての行の画素における電荷蓄積を一括して同時に終了する。続いて、システム制御回路５０は、ステップＳ１０５と同様にして、ＣＭＯＳ撮像素子１４の各行における蓄積電荷をライン単位で、順次、読み出し（ステップＳ１１０）、ステップＳ１０６と同様にして、画像の積算処理を行い（ステップＳ１１１）、撮影動作を終了する。
【００３７】
＜積算画像の輝度補正（ステップＳ１０７）の詳細＞
ステップＳ１０７で実行される積算画像の輝度補正の詳細について、図３を参照して説明する。図３は、デジタルカメラ１００での分割露光の態様を模式的に示す図である。図３（ａ）は、分割単位露光時間と分割読み出しとの関係を示しており、露光開始時にＣＭＯＳ撮像素子１４の電子シャッタ機能によるグローバルリセット動作を行い、分割単位露光時間だけ露光した後にローリングシャッタ駆動による第１分割読み出しを行う。このとき、画像上部と画面下部とでは露光時間（電荷蓄積時間）が異なり、画像上部では露光時間が短いために輝度が低く、画面下部に行くにつれて露光時間が長いため輝度が高い状態となっている。したがって、この状態のままで取得した画像を途中経過画像として画像表示部２８にプレビュー表示させると、画面内の輝度が均一でない不自然な画像になってしまう。そこで、輝度を均一化する補正を行う。
【００３８】
図３（ｂ）は、第１分割読み出しの露光時間についての補正内容を模式的に示す図である。分割単位露光時間（Ｔｕｎｉｔ）が経過した後に、ローリングシャッタ駆動によるライン単位の読み出しが行われる。この読み出しに必要な読出時間を“Ｔｒｅａｄ”とする。この場合、画面の一番上のラインの露光時間は“Ｔｕｎｉｔ”になるが、画面の一番下のラインの露光時間は“Ｔｕｎｉｔ＋Ｔｒｅａｄ”となる。これを補正するには、画面の一番下のライン（撮像素子１４の一番下のライン）の輝度の補正ゲイン倍率を“ｘ１．０（即ち、等倍）”とすると、画面の一番上のライン（撮像素子１４の一番上のライン）の輝度の補正ゲイン倍率（Ｇａｉｎ）は、下記［式２］で求められる。
【００３９】
Ｇａｉｎ＝（１．０＋Ｔｒｅａｄ／Ｔｕｎｉｔ）  ・・・  ［式２］
なお、画面の一番上と一番下との間の中間ラインの輝度の補正ゲイン倍率は、画面の一番上と一番下の各補正ゲイン倍率を線形補間することで決定すればよい。中間ラインの輝度の補正ゲイン倍率は、１本のライン毎に決定してもよいし、複数のライン毎に決定してもよい。
【００４０】
以上の説明の通り、本実施形態では、分割読み出し毎に輝度補正を行い、表示用画像を得ているため、最後の露光の分割を読み出して積算することで、画面内での露光時間差がなくなる。これにより、最後の読み出し（ステップＳ１１０）と画像積算（ステップＳ１１１）の後での輝度補正が不要となり、ローリングシャッタ駆動による画像歪みを抑えることができ、広がり傷も最小限に止めることができる。これにより、自然な途中経過画像を得ることができる。
【００４１】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態では、画面の一番下のラインの輝度の補正ゲイン倍率を“ｘ１．０”として、画面上部に向かって上げていく構成とした。しかし、これに限られず、画面中央のラインの輝度の補正ゲイン倍率を“ｘ１．０”として、画面中央から画面上部に向けての補正ゲイン倍率を上げていき、画面中央から画面下部に向けての補正ゲイン倍率を下げていく構成としてもよい。或いは、画面の一番上のラインの輝度の補正ゲイン倍率を“ｘ１．０”として、画面下部に向かって補正ゲイン倍率を下げていく構成としてもよい。即ち、図３（ａ）に示す“α１〜α３”，“β１〜β３”，“γ１〜γ３”はそれぞれ、輝度の補正ゲイン倍率を示しているが、これらの補正ゲイン倍率の設定は、この発明の要旨を逸脱しない限りにおいて様々に設定可能である。
【００４２】
また、上記実施形態では、露光開始動作に電子シャッタを用い、露光終了動作に機械式シャッタ１２を使用した。しかし、これに限られず、露光開始動作と露光終了動作に機械式シャッタ１２を使用してもよいし、フォーカルプレーンシャッタのようにグローバルシャッタ動作に近い動作の機構を使用しても構わない。
【００４３】
更に、露光の分割数について、上記実施形態では、露光時間を分割単位露光時間で除した構成とした。しかし、これに限られず、撮像素子１４の特性や撮影シーンに応じて適切な分割単位露光時間を、その都度、計算する構成にしてもよいし、ユーザが分割数を指定する構成としてもよく、さらに、分割時間が不均等になる読み出しとしてもよい。
【００４４】
本発明は以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００４５】
１０    撮影レンズ
１２    機械式シャッタ
１４    撮像素子
１８    タイミング発生回路
２８    画像表示部
４０    露光制御部
５０    システム制御回路
１００    デジタルカメラ（撮像装置）
【図１】
2014053777.tif 000003
【図２】
2014053777.tif 000004
【図３】
2014053777.tif 000005